(57)【特許請求の範囲】
【請求項１】
軸筒と、
前記軸筒内に収納されるシャープペンシルリフィルを含む複数本のリフィルと、
前記複数本のリフィルの各々の後方に位置するノック棒とを備え、
前記ノック棒を先端方向へスライドさせることにより、当該ノック棒に対応したリフィルの筆記先端が前記軸筒の先端から突出する複式筆記具において、
前記ノック棒の先端部分には、先端方向への押圧力を付与する押圧面が設けられ、
前記押圧面と前記シャープペンシルリフィルの後端との間にクッション部材を介在させたことを特徴とする筆記具。
【請求項２】
軸筒と、
前記軸筒内に収納されるシャープペンシルリフィルを含む複数本のリフィルと、
前記複数本のリフィルの各々の後方に位置するノック棒とを備え、
前記ノック棒を先端方向へスライドさせることにより、当該ノック棒に対応したリフィルの筆記先端が前記軸筒の先端から突出する複式筆記具において、
前記ノック棒と前記シャープペンシルリフィルとは、分離されており、
前記ノック棒の先端部分には、先端方向への押圧力を付与する押圧面が設けられ、
前記シャープペンシルリフィルの後端外縁に、スプリングと接触する鍔状のスプリング受けを設け、
前記シャープペンシルリフィルの後端にクッション部材を装着したことを特徴とする筆記具。
【請求項３】
前記シャープペンシルリフィルの後端には、リフィル尾栓が装着されており、
前記スプリング受けは、前記リフィル尾栓の後端外縁に形成されていることを特徴とする請求項２に記載の筆記具。
【請求項４】
前記クッション部材は、前記シャープペンシルリフィル内に挿入されるクッション部材胴部と、前記クッション部材胴部の後端に連接し、かつ、前記シャープペンシルリフィルの内径より大径に形成されたクッション部材鍔部とを備えており、
前記押圧面が前記クッション部材を押圧していない状態では、前記クッション部材鍔部と前記スプリング受けとの間に間隙が形成されていることを特徴とする請求項２又は３に記載の筆記具。
【発明の詳細な説明】
【技術分野】
【０００１】
本発明は、軸筒内に複数のリフィルを収容した複式筆記具に関する。
【背景技術】
【０００２】
従来、複式筆記具として、複数色のボールペンリフィルと、これら複数色のボールペンリフィルの各々の後方に位置するノック棒とを備え、選択された１つのノック棒を前進させることにより、当該ノック棒に対応したリフィルの筆記先端が軸筒の先端から突出する多色ボールペン（複式筆記具）が提供されている。
【０００３】
また、上記多色ボールペンにおけるいずれかのボールペンリフィルを、軸方向への往復移動により芯が繰り出されるシャープペンシルリフィルに置き換えて、シャープペンシルの機能を付加した複式筆記具も提供されている。
【０００４】
しかし、このシャープペンシルの機能を付加した複式筆記具においては、他のボールペンリフィルに対応したノック棒を前進させ、それに伴って、シャープペンシルリフィルが後退した際にシャープペンシル機構へ加わるダメージにより、シャープペンシル機構内の鉛芯が折れてしまうなどといった問題が生じている。
【０００５】
そこで、上記問題に鑑みて、下記の特許文献１では、芯収容管における予備芯が収容される部位の内周面全面に、予備芯に対する衝撃を緩和するための緩衝被覆体を形成したことで、芯収容管内の鉛芯折れを防止する技術が開示されている。
【０００６】
また、下記の特許文献２では、ノック部分の前端側に、衝撃を緩和するための緩衝部材を設けて、各リフィルの没入に伴い、そのリフィルに対応したノック棒が後退した際に、ノック棒が緩衝部材に当接するように形成したことで、シャープペンシル機構内の鉛芯折れを防止する技術が開示されている。
【先行技術文献】
【特許文献】
【０００７】
【特許文献１】特許第４９７４６５４号
【特許文献２】特許第４７３９５９３号
【発明の概要】
【発明が解決しようとする課題】
【０００８】
しかし、上記特許文献１の技術では、芯収容管内の鉛芯折れを防止することはできても、シャープペンシルリフィルの後退に伴うシャープペンシル機構内の鉛芯折れを防止することはできない。
【０００９】
また、上記特許文献２の技術では、シャープペンシルリフィルの後退に伴うシャープペンシル機構内の鉛芯折れを防止することはできても、緩衝部材がノック棒と軸筒の後端との間に設けられているため、ノック感の向上には繋がらない。したがって、このようなノック感では、複式筆記具を高級筆記具として提供するには適したものとはいえず、機能面と品質面とを両立させることができなかった。
【００１０】
そこで、本発明は、シャープペンシルリフィルの後退に伴うシャープペンシル機構内の鉛芯折れを防止し、かつ、ノック感を重厚感のあるものとして、機能面及び品質面に優れた複式筆記具を提供することを課題とする。
【課題を解決するための手段】
【００１１】
上記課題を解決するために、本発明は、以下のような構成を備える。
（第１の発明）
本発明のうち第１の発明は、軸筒10と、前記軸筒10内に収納されるシャープペンシルリフィル90を含む複数本のリフィルと、前記複数本のリフィルの各々の後方に位置するノック棒40とを備え、前記ノック棒40を先端方向へスライドさせることにより、当該ノック棒40に対応したリフィルの筆記先端91が前記軸筒10の先端から突出する複式筆記具1において、前記ノック棒40の先端部分には、先端方向への押圧力を付与する押圧面42が設けられ、前記押圧面42と前記シャープペンシルリフィル90の後端との間にクッション部材50を介在させたことを特徴とする。
「クッション部材50」とは、押圧面42により加圧されることで弾性変形可能な程度の硬さを有する素材から形成されたものである。
【００１２】
（第２の発明）
本発明のうち第２の発明は、軸筒10と、前記軸筒10内に収納されるシャープペンシルリフィル90を含む複数本のリフィルと、前記複数本のリフィルの各々の後方に位置するノック棒40とを備え、前記ノック棒40を先端方向へスライドさせることにより、当該ノック棒40に対応したリフィルの筆記先端91が前記軸筒10の先端から突出する複式筆記具1において、前記ノック棒40と前記シャープペンシルリフィル90とは、分離されており、前記ノック棒40の先端部分には、先端方向への押圧力を付与する押圧面42が設けられ、前記シャープペンシルリフィル90の後端外縁に、スプリング11と接触する鍔状のスプリング受け61を設け、前記シャープペンシルリフィル90の後端にクッション部材50を装着したことを特徴とする。
【００１３】
「前記ノック棒40と前記シャープペンシルリフィル90とは、分離されており」とは、ノック棒40とシャープペンシルリフィル90とは物理的に接続又は連結がされておらず、別体の部材であることを意味する。したがって、シャープペンシルリフィル90は、ノック棒40の前進に伴い押圧面42がクッション部材50と接触することで、はじめてノック棒40により前方に押し出されることとなる。
【００１４】
（第３の発明）
本発明のうち第３の発明は、前記した第２の発明の特徴に加え、前記シャープペンシルリフィル90の後端には、リフィル尾栓60が装着されており、前記スプリング受け61は、前記リフィル尾栓60の後端外縁に形成されていることを特徴とする。
【００１５】
（第４の発明）
本発明のうち第４の発明は、前記した第２、第３の発明の特徴に加え、前記クッション部材50は、前記シャープペンシルリフィル90内に挿入されるクッション部材胴部51と、前記クッション部材胴部51の後端に連接し、かつ、前記シャープペンシルリフィル90の内径より大径に形成されたクッション部材鍔部52とを備えており、前記押圧面42が前記クッション部材50を押圧していない状態では、前記クッション部材鍔部52と前記スプリング受け61との間に間隙12が形成されていることを特徴とする。
【００１６】
「前記シャープペンシルリフィル90の内径より大径に形成されたクッション部材鍔部52」とは、その径がシャープペンシルリフィル90の内径よりも大きいことを意味する。したがって、クッション部材胴部51がシャープペンシルリフィル90内に挿入された場合でも、クッション部材鍔部52はシャープペンシルリフィル90から突出することとなっている。
【発明の効果】
【００１７】
本発明は、以上のように構成されているので、以下の効果を奏する。
本発明に係る複式筆記具は、押圧面とシャープペンシルリフィルの後端との間に衝撃を緩和するためのクッション部材が配置されている。
そのため、他のリフィルの前進に伴い、シャープペンシルリフィル及びこれに対応したノック棒が後退して軸筒に接触した場合であっても、シャープペンシル機構に加わる衝撃がクッション部材により吸収されることとなるため、シャープペンシル機構内の鉛芯折れを防止することができる。
【００１８】
また、本発明に係る複式筆記具は、ノック棒とシャープペンシルリフィルとが分離されており、かつ、クッション部材がシャープペンシルリフィルの後端に装着されている。
そのため、シャープペンシルリフィルから鉛芯を繰り出すには、クッション部材を押しつぶしながらノックをすることとなり、ノック棒をノックした際に柔軟性を備えつつ押しごたえのある感触を得られる結果、ノック感を重厚感のあるものとした機能面及び品質面に優れた複式筆記具を提供することができる。
【図面の簡単な説明】
【００１９】
【図１】本発明の実施形態に係る複式筆記具の没入状態における側面断面図（Ａ）及び拡大断面図（Ｂ）である。
【図２】本発明の実施形態に係る複式筆記具の突出状態における側面断面図（Ａ）及び拡大断面図（Ｂ）である。
【図３】本発明の実施形態に係るノック棒の斜視図（Ａ）及び（Ｂ）である。
【発明を実施するための最良の形態】
【００２０】
以下、図面を参照しつつ、本発明の実施形態に係る筆記具として、軸筒10内に複数の筆記体であるリフィルを備えた複式筆記具1を例に説明する。なお、本発明の実施形態において、複式筆記具1及びその構成部品についての「前方」とは筆記先端91を備えた方向を示し、「後方」とはその反対側の方向を示すものとする。
ここで、本発明の実施形態においては、複式筆記具1からリフィルが突出している状態を「突出状態」とし、リフィルが複式筆記具1内に収容されている状態を「没入状態」とする。
【００２１】
（全体構造）
本発明の実施形態に係る複式筆記具1は、図１（Ａ）に示すように、先軸20と後軸30とからなる軸筒10の後端、すなわち後軸30の後端にクリップ70が取り付けられるとともに、後軸30の後端側面から突出するノック突起41を前進させることにより、それに連動して軸筒10内に収容されたリフィルが先軸20の先端から突出する構造の複式筆記具1である。このとき、クリップ70の先端部分は、軸筒10に向けて突出しており、衣服のポケット等をこのクリップ70の先端部分と軸筒10の外周面との間で挟持することにより、複式筆記具1が衣服に保持できることとなっている。
【００２２】
（軸筒10の構造）
図１（Ａ）に示すように、本発明の実施形態に係る軸筒10は、筒形を呈し、かつ、その先端が先細に形成されている先軸20と、筒形を呈し、かつ、その後端が閉口している後軸30とから構成されている。そして、本発明の実施形態に係る軸筒10は、先軸20の後端に形成された先軸雄ネジ21と、後軸30の先端に形成された後軸雌ネジ31とを螺合させることにより組み立てられる。
【００２３】
ここで、先軸20の先端面には、突出状態へ至ったリフィルが突出するための先端口22が形成されている。
また、後軸30の後端側面からは、リフィルの突出に寄与すべく、ノック棒40の後端に形成されたノック突起41が突出している。そして、このノック突起41を前進させることにより、ノック棒40から押圧力を加えられたシャープペンシルリフィル90の筆記先端91が先端口22より突出し、シャープペンシルリフィル90が突出状態へ移動する。
【００２４】
なお、本発明の実施形態においては、軸筒10内に３本のリフィルが収容されており、また、リフィルの各々の後方には対応するノック棒40が位置し、後軸30の後端側面からノック突起41が突出している。
【００２５】
（シャープペンシルリフィル90の構造）
図１（Ａ）に示すように、本発明の実施形態に係るリフィルは、シャープペンシルとして筆記可能なシャープペンシルリフィル90と、ボールペンとして筆記可能なボールペンリフィル80とを備えている。なお、図面上ではリフィルが２本しか視認できないが、実際にはシャープペンシルリフィル90の対面には、図面上のボールペンリフィル80とは別のボールペンリフィル80が存在する。
【００２６】
ここで、シャープペンシルリフィル90は、前方から順に、筆記用の筆記先端91と、図示しない鉛芯が収容されるシャープペンシル機構92と、予備芯などが収容される芯ケース93とを備えている。
【００２７】
また、図１（Ｂ）に示すように、シャープペンシルリフィル90の後端には、シャープペンシルリフィル90を前後に移動自在にすべく、スプリング11の伸縮作用を利用するためのスプリング受け61が形成されたリフィル尾栓60が装着されている。なお、スプリング11は、シャープペンシルリフィル90の外周を覆ってスプリング受け61と接触するように装着されている。さらに、リフィル尾栓60内には、クッション部材50が装着されている。
【００２８】
（クッション部材50の構造）
クッション部材50とは、加重により弾性変形可能な程度の硬さを有する素材から形成されたものであり、シャープペンシルリフィル90内に挿入されるクッション部材胴部51と、前記クッション部材胴部51の後端に連接し、かつ、前記シャープペンシルリフィル90の内径より大径に形成されたクッション部材鍔部52とを備えている。
【００２９】
このとき、クッション部材鍔部52の径は、シャープペンシルリフィル90の内径よりも大きくなるように形成されているため、クッション部材胴部51がシャープペンシルリフィル90内に挿入された場合でも、クッション部材鍔部52はシャープペンシルリフィル90から突出することとなっている。さらに、クッション部材鍔部52の厚肉（厚み）は、クッション部材50への加重の際に、直ぐにその押圧力がシャープペンシルリフィル90に伝わらない程度で形成されている。
【００３０】
ここで、図１（Ｂ）に示すように、クッション部材50は、リフィル尾栓60に装着された際に、その先端部分がリフィル尾栓60の内底と接触している。また、シャープペンシルリフィル90が没入状態にある際には、クッション部材鍔部52とスプリング受け61との間には間隙12が形成されている。したがって、クッション部材50に加重がかかった際には、クッション部材胴部51が圧縮されることで間隙12も圧縮され、その後、クッション部材鍔部52が弾性変形していくこととなっている。
【００３１】
（ノック棒40の構造）
図３に示すように、本発明の実施形態に係るノック棒40は、クッション部材50を押圧する押圧面42と、その一部が後軸30の後端側面から突出するノック突起41とから構成されている。
そして、ノック棒40は、後軸30に形成された縦溝32（図２（Ａ）参照）に摺動自在に装着されることで、指先でノック突起41を前進させると、ノック突起41が縦溝32に沿って摺動可能となっている。
【００３２】
また、本発明の実施形態に係るシャープペンシルリフィル90に対応したノック棒40は、上述したシャープペンシルリフィル90とは分離しており、シャープペンシルリフィル90は、ノック棒40の前進に伴い押圧面42がクッション部材50と接触することで、はじめてノック棒40により前方に押し出されることとなる。
【００３３】
このとき、いずれのリフィルも、没入状態にあっては、スプリング11の付勢力によって、後軸30の後端部分に、ノック突起41が係止するようになされている。
ここで、シャープペンシルリフィル90については、その筆記先端91が先端口22から突出した状態で、ノック突起41が前方に押圧されると、筆記先端91の鉛芯を把持しているチャックが開き、鉛芯が繰り出されるようになっている。
【００３４】
そして、シャープペンシルリフィル90が突出状態の場合に、ボールペンリフィル80に係るノック棒40を前進させることで、シャープペンシルリフィル90を支持するノック棒40は、後軸30内に形成された図示しない後軸リブとの係合が解除される。その結果、シャープペンシルリフィル90は、スプリング11の作用により没入状態へ移動する。一方、ボールペンリフィル80は、ボールペンリフィル80に係るノック棒40が後軸30内に形成された図示しない後軸リブに係合して突出状態となる。
【００３５】
（没入状態から突出状態への変遷）
以下、本発明の実施形態に係るシャープペンシルリフィル90が没入状態から突出状態へ移動し、再び没入状態に戻るまでの流れを説明する。
（１）  没入状態から突出状態への変化
【００３６】
図１（Ａ）はシャープペンシルリフィル90の没入状態を示した側面断面図である。
この状態からシャープペンシルリフィル90に対応したノック突起41を前進させると、まず押圧面42がクッション部材50と接触する。そして、クッション部材50内を伝導した押圧力がシャープペンシルリフィル90に到達すると、ノック棒40がシャープペンシルリフィル90を前方に押し出しながら軸筒10内を前進することで、先端口22からシャープペンシルリフィル90の筆記先端91が突出する。その結果、シャープペンシルリフィル90が「没入状態」から「突出状態」へ移動する。
（２）  突出状態から没入状態への変化
【００３７】
図２（Ａ）はシャープペンシルリフィル90の突出状態を示した側面断面図である。この状態からボールペンリフィル80に対応したノック突起41を前進させると、シャープペンシルリフィル90を支持するノック棒40は、後軸30内に形成された図示しない後軸リブとの係合が解除され、シャープペンシルリフィル90は、スプリング11の作用により後退する。そして、ノック突起41が後軸30の後端部分と接触することで、シャープペンシルリフィル90が「突出状態」から「没入状態」へ移動する。このとき、シャープペンシルリフィル90が備えるシャープペンシル機構92内には、ノック棒40と後軸30との接触の際の衝撃が伝わりにくくなっている。すなわち、ノック棒40と後軸30との接触の際の衝撃は、押圧面42とシャープペンシルリフィル90の後端との間に介在するクッション部材50により吸収されるため、シャープペンシル機構92内における衝撃を緩和することができるのである。したがって、シャープペンシル機構92内に収容されている鉛芯へのダメージが少ないため、それらの芯折れを防止することができる。
【００３８】
（本発明の実施の形態に係る複式筆記具1の作用効果）
本発明の実施の形態に係る複式筆記具1は、以上のように構成されているので、以下の作用効果を奏する。
本発明に係る複式筆記具1は、押圧面42とシャープペンシルリフィル90の後端との間に衝撃を緩和するためのクッション部材50が配置されている。
そのため、他のボールペンリフィル80の前進に伴い、シャープペンシルリフィル90及びこれに対応したノック棒40が後退して軸筒10に接触した場合であっても、シャープペンシル機構92に加わる衝撃がクッション部材50により吸収されることとなるため、シャープペンシル機構92内の鉛芯折れを防止することができる。
【００３９】
また、本発明に係る複式筆記具1は、ノック棒40とシャープペンシルリフィル90とが分離されており、かつ、クッション部材50がシャープペンシルリフィル90の後端に装着されている。
そのため、シャープペンシルリフィル90から鉛芯を繰り出すには、クッション部材50を押しつぶしながらノックをすることとなり、ノック棒40をノックした際に柔軟性を備えつつ押しごたえのある感触を得られる結果、ノック感を重厚感のあるものとした機能面及び品質面に優れた複式筆記具1を提供することができる。
【符号の説明】
【００４０】
1  複式筆記具  
10  軸筒                                  11  スプリング
12  間隙                                  
20  先軸                                  21  先軸雄ネジ  
22  先端口                                
30  後軸                                  31  後軸雌ネジ
32  縦溝
40  ノック棒                              41  ノック突起
42  押圧面
50  クッション部材                        51  クッション部材胴部
52  クッション部材鍔部
60  リフィル尾栓                          61  スプリング受け
70  クリップ
80  ボールペンリフィル                    90  シャープペンシルリフィル
91  筆記先端                              92  シャープペンシル機構
93  芯ケース
【図１】
0006564629.tif 000002
【図２】
0006564629.tif 000003
【図３】
0006564629.tif 000004